(57)【特許請求の範囲】
【請求項１】
車椅子（１）の座支持部材（４）の前端部に渡し板（１５）を水平軸線を中心として上下回動可能に連結するとともに、前記座支持部材（４）及び渡し板（１５）の左右両側に前後方向に平行に延びる一対のガイド（６ａ，１５ｄ）を設け、外周部が前記ガイド（６ａ，１５ｄ）に摺動可能にかつ回転可能に嵌合する円板状の座板（２０）を設けるとともに、該座板（２０）の外周の一部に位置決め凹部（２０ｄ）を設け、前記座支持部材（４）の後部に前記位置決め凹部（２０ｄ）が係合する位置決め突起（６ｄ）を設け、前記渡し板（１５）の前部に座板（２０）の前部側への移動を阻止するストッパー（１５ｃ）を設け、車椅子（１）の背受け杆（９）の上下中間部に左右一対の肘受け（１２）を前方乃至上方に向けて起倒可能に連結するとともに、各肘受け（１２）の前方位置と上方位置とを保持するストッパー（１３）を設けたことを特徴とする車椅子の座装置。
【請求項２】
座支持部材（４）の支持板（５）を左右に離間させて該支持板（５）間に下部便孔（５ａ）を形成し、渡し板（１５）の前支持板（１５ａ）を左右に離間させて該前支持板（１５ａ）間に作業孔（１６）を形成し、座板（２０）の中心部に便孔（２０ｃ）を設けたことを特徴とする請求項１記載の車椅子の座装置。
【発明の詳細な説明】
【技術分野】
【０００１】
本発明は、歩行の困難な患者が使用する車椅子に関し、特に車椅子とベッドとの間、車椅子と自動車との間等への移し替えが容易に行なえる車椅子の座装置に関するものである。
【背景技術】
【０００２】
従来の技術として、特許文献１に開示された移送具があった。即ち、前後に細長い板製の渡架フレームの両側に一対のレールを平行に取り付け、渡架フレームの上面に可動台と座板とを順次上方に向けて載置し、可動台は上記渡架フレームに前後摺動可能に係止し、座板は可動台に横移動可能にかつ上下軸心を中心として回転可能に係止するようにした移送具があった。
【０００３】
上記のものは、車椅子ーベッド間、あるいは車椅子ー自動車間等に移送具を渡架することによって両者間への患者の移し替えが容易に行なえることになる。しかしながら、移送具が車椅子と別個になっていたので、簡便に持ち運ぶことができず、使用場所が限定されるものであった。
【特許文献１】特開平８−２４２９４号公報
【発明の開示】
【発明が解決しようとする課題】
【０００４】
本発明は、車椅子に渡し板を回動可能に設けることにより、車椅子が移動する任意の場所で患者の移し替えが容易に行なえる新規な車椅子の座装置を得ることを目的とする。
【課題を解決するための手段】
【０００５】
本発明は上記目的を達成するために、以下の如く構成したものである。即ち、請求項１に係る発明は、車椅子の座支持部材の前端部に渡し板を水平軸線を中心として上下回動可能に連結するとともに、前記座支持部材及び渡し板の左右両側に前後方向に平行に延びる一対のガイドを設け、外周部が前記ガイドに摺動可能にかつ回転可能に嵌合する円板状の座板を設けるとともに、該座板の外周の一部に位置決め凹部を設け、前記座支持部材の後部に前記位置決め凹部が係合する位置決め突起を設け、前記渡し板の前部に座板の前部側への移動を阻止するストッパーを設け、車椅子の背受け杆の上下中間部に左右一対の肘受けを前方乃至上方に向けて起倒可能に連結するとともに、各肘受けの前方位置と上方位置とを保持するストッパーを設ける構成にしたものである。
請求項２に係る発明は、前記座支持部材の支持板を左右に離間させて該支持板間に下部便孔を形成し、渡し板の前支持板を左右に離間させて該前支持板間に作業孔を形成し、座板の中心部に便孔を設けたものである。
【発明の効果】
【０００６】
本発明の請求項１に係る発明は、渡し板を水平状に回動させてその前端部を、例えばベッドに掛けると、座支持部材と前記渡し板が直線状となり、座板が両者間に亘って移動可能になるとともに、任意の位置で上下軸線を中心として回転可能となる。このため、移し替え先のベッド等を改造することなく、前記座板を介して患者をベッドから車椅子に、又は車椅子からベッドに向けて容易に移し替ることができるとともに、この移し替る際に患者の向きを変えることができる。
この場合、座板が渡し板の前部側に移動すると、渡し板の前部に設けたストッパーによって該座板の前方への移動が規制され、座板が渡し板から不用意に離脱しなくなる。また、座板を後部側の座支持部材に向けて移動させると、座板の位置決め凹部が座支持部材の位置決め突起と係合し、前記座板の回転が停止されることになる。
これにより、患者をベッド−車椅子に向けて安全に移し替えることができるとともに、患者を車椅子に移動させた際に該患者の不用意な回転が規制され、また、渡し板をベッドから外して下方に回動させることにより、患者を腰掛けた姿勢で安全に移送することができる。
また、肘受けを前方乃至上方に向けて起倒可能としたので、患者をベッド−車椅子に向けて移し替える際に肘受けを上方に回動させると、作業空間が広くなって患者を安全に移し替えることができ、患者を車椅子に搭乗させた後に前記肘受けを前方に回動させると、患者は肘受けに肘を載せて該肘受けを持つことができ、腰掛けた姿勢を安定させることができる。
請求項２に係る発明は、座支持部材に下部便孔を、座板に便孔を設けるとともに、渡し板に作業孔を設けたので、患者は車椅子に腰掛けた状態で排便、排尿することができる。このとき、介護者は渡し板の作業孔、及び座支持部材の下部便孔を介して前記排便、排尿の回収を行うことができる。
【発明を実施するための最良の形態】
【０００７】
以下本発明の実施例を図面に基づいて説明する。図において、図１は本発明による車椅子の初期作動時の斜視図、図２は患者の移し替え時における車椅子の作動状態を示す斜視図、図３は本発明による渡し板の斜視図、図４は本発明による座板の斜視図、図５は図４のV-V断面図、図６は本発明による足掛けの第１例を示す斜視図、図７は本発明による足掛けの第２例を示す斜視図、図８は本発明による足掛けの第３例を示す斜視図、図９は渡し板に第３例の足掛けを取り付けた状態の斜視図、図１０は図９の側面断面図である。
【０００８】
図１、図２において、１は車椅子、２はそのフレームである。該フレーム２は、後部か開口した平面視コ形の下部フレーム３と前部が開口した平面視コ形の座支持部材４とを上下に離間させ、両者を前部支柱７及び後部支柱８により一体的に連結する。後部支柱８はパイプ製とし、座支持部材４から若干上方に突出させ、この部にパイプ製の背受け杆９を着脱可能に連結する。該背受け杆９には背受けシート１０を取り付ける。上記背受け杆９の上端部は後方に屈曲され、この部にグリップ１１が取り付けられている。また、背受け杆９の上下中間部に肘受け１２を起倒可能に連結する。１３は各肘受け１２の後部に取り付けたストッパーであり、各肘受け１２の水平位置及び起立位置を保持するためのものである。１４は上記下部フレーム３に取り付けたブレーキ付きのキャスターである。
【０００９】
上記座支持部材４は、前後方向に長い一対の長方形状の支持板５を左右に離間させ、各支持板５の上面に前部が開口した平面視コ形の桟６を固定する。該桟６は、左右の桟６ａを本願でいうガイドとし、各支持板５の外側端部に位置させるとともに、その対面側に前後方向に平行に延びる凸状のレール６ｂを有する。また、後部の桟６ｃの左右中心部の前面側に円弧状の位置決め突起６ｄを形成する。なお、上記各支持板５による間隙部で下部便孔５ａを形成する。
【００１０】
上記座支持部材４の前端部に、後部が開口した平面視コ形の渡し板１５を水平軸線を中心として上下回動可能に連結する。該渡し板１５は、図３に示すようになっている。即ち、一対の前支持板１５ａを左右に離間させ、その前部側にて２個の連結杆１５ｂ、及びストッパー１５ｃにより一体的に連結し、左右の前支持板１５ａ間に作業孔１６を形成する。上記各連結杆１５ｂは前後に離間させて両者間に係止孔１７を形成する。上記ストッパー１５ｃは連結杆１５ｂよりも前部側に位置させるとともに、支持板１５ａの上面から所定量上方に突出させる。
【００１１】
また、上記各前支持板１５ａの外側部の上面に一対の前ガイド１５ｄを固定する。各前ガイド１５ｄはその対面側に凸状のレール１５ｅを有する。上記前支持板１５ａ及び前ガイド１５ｄは、前述した支持板５及びガイド６ａの延長線となるように左右に離間させる。そして、図１、図２に示すように、上記渡し板１５の後端部を上記座支持部材４の前端部にヒンジ（蝶番）１８を介して上下回動可能に連結する。なお、前述したレール６ｂ、１５ｅは省略してもよい。
【００１２】
前述した座支持部材４及び渡し板１５に座板２０を前後摺動かつ回転可能に載置する。該座板２０は図４、図５に示すようになっている。即ち、前述した左右のガイド６ａ、６ａ（１５ｂ，１５ｂ）間に接近して嵌合する円板状の主板２０ａを形成し、該主板２０ａの外周部にリング状の係合溝２０ｂを、該主板２０ａの内周部に細長い長方形状の便孔２０ｃをそれぞれ形成し、該便孔２０ｃの長手方向一端側が位置する主板２０ａの外周部位に円弧状の位置決め凹部２０ｄを形成する。この位置決め凹部２０ｄは、前述した座支持部材４の位置決め突起６ｄに嵌合する形状とする。
【００１３】
そして、前述した座支持部材４の支持板５の上面、渡し板１５の前支持板１５ａの上面、及び座板２０の下面にテフロン（登録商標）等の滑性剤（シート）を固着した後、座板２０を上記支持板５の上面に載置するとともに、その係合溝２０ｂを左右のガイド６ａ、６ａに係合させる。なお、上記座板２０は、円板状の主板２０ａを載置板とし、該載置板の上面に座支持部材４の平面面積に略対応する長方形状の上板（図示省略）を取り付けるようにしてもよい。この場合、上記上板は、座板２０が回転する際に背受け杆９と衝突することのないよう、角部を円弧状に面取りしておくとよい。
【００１４】
上記渡し板１５の前端部に形成した係止孔１７に足掛け２２を抜き差し可能に係止する。該足掛け２２は、図６に示すように、長方形状の受け板２２ａの下面に左右一対の係止杆２２ｂを後方に突出させて固定してなり、図１に示すように、渡し板１５を下方に回動させた際に、その下端部に位置する係止孔１７に上記係止杆２２ｂの後端部を差し込んで受け板２２ａを渡し板１５の下端部から前方に突出させ、この部に乗せられた患者の足が載置できるようにする。また、図２に示すように、渡し板１５を前方に回動させてその前端部をベッド２４に係止する際には、上記足掛け２２を渡し板１５から取り外すことにより、ベッド２４上の患者が座板２０に円滑に載置できるようにする。
【００１５】
図７は足掛けの第２例を示す。図７において、２２−２は足掛けであり、長方形状の受け板２２ａの下面の左右にパイプ製の係止杆２２ｃを後方に突出させて固定し、各係止杆２２ｃの後端部にピン孔２２ｄを形成してなる。上記足掛け２２−２は、左右の係止杆２２ｃを渡し板１５の各前支持板１５ａの前端部に形成した係止孔１７ａ（図３）に差込み、そのピン孔２２ｄに止めピン（図示省略）を嵌合させて抜け止めする。
【００１６】
図７は足掛けの第３例を示す。図８において、２２−３は足掛けであり、長方形状の受け板２２ａの下面の左右に角材製の係止杆２２ｅを後方に突出させて固定し、各係止杆２２ｅの後端部に前後に長い長孔２２ｆを形成してなる。上記足掛け２２−３は、図９、図１０に示すように、渡し板１５の前端部に起倒可能に取り付ける。即ち、渡し板１５の各前支持板１５ａの前端部下面側にブラケット１９ａを介して係止ロッド１９を取り付け、該係止ロッド１９に上記長孔２２ｆを介して左右の係止杆２２ｅを前後摺動可能にかつ回転可能に取り付ける。また、上記係止ロッド１９の直後部側に前述した連結杆１５ｂを取り付ける。
【００１７】
これにより、図１０の実線で示すにように、足掛け２２−３を前方に引っ張り、長孔２２ｆの後端部を係止ロッド１９に位置させた際には、該足掛け２２−３が渡し板１５の延長線上で係止ロッド１９を中心として上下に回動可能となる。また、図１０の仮想線で示すにように、足掛け２２−３を渡し板１５に対して上方に回動（矢印Ａ）させ、この状態で足掛け２２−３を下方に移動（矢印Ｂ）させると、長孔２２ｆの前端部が係止ロッド１９に位置するとともに、係止杆２２ｅ下端部（後端部）が連結杆１５ｂと干渉する位置となり、該足掛け２２−３が上記係止ロッド１９と連結杆１５ｂとにより係止されて渡し板１５に対して直交（上方に回動）した状態で保持、つまり足掛けの機能を発揮することになる。
【００１８】
次ぎに、上記実施例の使用態様について説明する。例えばベッド２４上の患者を車椅子１に移す際には、該車椅子１をベッド２４に横付けするとともに、上記渡し板１５を前方に回動させてその前端部をベッド２４の一方の側部に係止する。これにより、渡し板１５の前支持板１５ａ及び前ガイド１５ｄが、座支持部材４側の支持板５及びガイド６ａと直線状となり、図２に示すように、座板２０を座支持部材４側から渡し板１５に向けて移動４させることができる。渡し板１５の前部側に移動された座板２０はストッパー１５ｃによってそれ以上の前部側への移動が阻止されることになる。
【００１９】
この場合、前述した第３例の足掛け２２−３が取り付けられている際には、図１０の実線で示すにように、足掛け２２−３を前方に引っ張って長孔２２ｆの後端部を係止ロッド１９に位置させ、該足掛け２２−３を渡し板１５の延長線上に位置させて渡し板１５とともにベッド２４上に載置する。
【００２０】
この状態でベッド２４上の患者を起こして上記座板２０に座らせ、該座板２０を介して上記患者を、その背中が背受けシート１０に向く如く回転させ、次いで上記患者を後方（車椅子１側）に押すと、座板２０が渡し板１５上を滑って座支持部材４側に移動し、座板２０が座支持部材４の正規位置に移動、及び回転した時点で座板２０の位置決め凹部２０ｄが座支持部材４の位置決め突起６ｄに係合し、該座板２０の不用意な回転が阻止されることになる。従って上記患者を小労力でベッド２４から車椅子１に移し換えることができる。
【００２１】
次いで、上記車椅子１を後方に引っ張ると、上記渡し板１５がベッドから離脱して自重により下方に回動する。これに伴って患者の膝下が下方に垂下する。この状態で足掛け２２を渡し板１５に係止、つまり、足掛け２２の係止杆２２ｂの後端部を渡し板１５の係止孔１７に差し込み、その受け板２２ａを渡し板１５の下端部から前方に突出させ、該受け板２２ａに上記患者の足を乗せる。また、肘掛け１２を前方に倒して水平にし、この部に患者の肘を乗せる。これにより、車椅子１に乗せた患者の姿勢が安定することになる。
【００２２】
なお、前述した第３例の足掛け２２−３を使用している際には、図１０の仮想線で示すにように、足掛け２２−３を渡し板１５に対して上方に回動（矢印Ａ）させた後、下方に移動（矢印Ｂ）させると、該足掛け２２−３が係止ロッド１９と連結杆１５ｂとにより係止されてその受け板２２ａが渡し板１５の下端部から前方に突出することになり、該受け板２２ａに患者の足を乗せることができる。
【００２３】
そして、患者を入浴、あるいは該患者の間股部を洗浄する際には、該患者を車椅子１と共に浴槽あるいは浴室に収容し、介護者が作業孔１６、便孔５ａ、２０ｂから手を入れて患者の間股部をもみ洗いする。また、患者を排便させる際には、便孔２０ｃに便収容袋を嵌め、車椅子に乗せた状態で上記便収容袋に排便させる。あるいは車椅子１を後向きにして便器に嵌合させ、便孔５ａ、２０ｂを介して便器内に排便させる。
【図面の簡単な説明】
【００２４】
【図１】本発明による車椅子の初期作動時の斜視図である。
【図２】患者の移し替え時における車椅子の作動状態を示す斜視図である。
【図３】本発明による渡し板の斜視図である。
【図４】本発明による座板の斜視図である。
【図５】図４のV-V断面図である。
【図６】本発明による足掛けの斜視図である。
【図７】本発明による足掛けの第２例を示す斜視図である。
【図８】本発明による足掛けの第３例を示す斜視図である。
【図９】渡し板に第３例の足掛けを取り付けた状態の斜視図である。
【図１０】図９の側面断面図である。
【符号の説明】
【００２５】
１    車椅子
２    フレーム
３    下部フレーム
４    座支持部材
５    支持板
５ａ  下部便孔
６    桟
６ａ  ガイド
６ｂ  レール
６ｃ  後部の桟
６ｄ  位置決め突起
７    前部支柱
８    後部支柱
９    背受け杆
１０    背受けシート
１１    クリップ
１２    肘掛け
１３    ストッパー
１５    渡し板
１５ａ  前支持板
１５ｂ  連結杆
１５ｃ  ストッパー
１５ｄ  前ガイド
１５ｅ  レール
１６    作業孔
１７    係止孔
１８    ヒンジ（蝶番）
１９    係止ロッド
１９ａ  ブラケット
２０    座板
２０ａ  主板（載置板）
２０ｂ  便孔
２０ｃ  位置決め凹部
２２（２２−２，２２−３）    足掛け
２２ａ  受け板
２２ｂ（２２ｃ，２２ｅ）  係止杆
２２ｄ  ピン孔
２２ｆ  長孔
２４    ベッド
【図１】
0004291234.tif 000002
【図２】
0004291234.tif 000003
【図３】
0004291234.tif 000004
【図４】
0004291234.tif 000005
【図５】
0004291234.tif 000006
【図６】
0004291234.tif 000007
【図７】
0004291234.tif 000008
【図８】
0004291234.tif 000009
【図９】
0004291234.tif 000010
【図１０】
0004291234.tif 000011